(57)【特許請求の範囲】
【請求項１】
電気信号を音響に変換もしくは音響を電気信号に変換する電気音響変換部と、該電気音響変換部と電気信号の入出力先とを電気的に接続するコードとを備えた電気音響変換装置において、回転自在に支持され、前記コードを電気音響変換部側の端部が固定された状態で巻き取り可能なリールを設けると共に、該リールと一体回転するように前記電気音響変換部を設けたことを特徴とする電気音響変換装置。
【請求項２】
前記コード中に光ファイバを内装し、該光ファイバを介して光通信で伝達される情報を画像表示するモニタ部を設けた請求項１に記載の電気音響変換装置。
【発明の詳細な説明】
【０００１】
【発明の属する技術分野】
本発明は、持ち運び型音響機器のイヤホンや携帯電話機のイヤホンマイク等に適用される電気音響変換装置に関する。
【０００２】
【従来の技術】
例えば、携帯電話機のイヤホンマイクとして、非使用時にコードが邪魔にならないように、コードを巻き取り収納できるようにした構成のものが実用化されている。従来のこの種のイヤホンマイクは、コードを巻き取るリールと、該リールを回転自在に支持するケースとを備え、先端にイヤホンマイク本体を取り付けたコードをリールに接続して巻き取り可能とする共に、これとは別に先端に携帯電話機本体への接続プラグを取り付けたコードをケースに接続し、これらリール側コードとケース側コードとを電気的に接続した構成となっていた。
【０００３】
リール側コードとケース側コードの接続部は下記の構造であった。すなわち、リールの端面にはリール側コードに内装されている電線にそれぞれ個別に接続した複数の電気接点を設け、また、これに対向するケースの内面にはケース側コードに内装されている電線にそれぞれ個別に接続した複数の環状電気接点を前記リール側の電気接点と摺接するように設けてなり、リールが回転するとリール側の電気接点がケース側の環状電気接点に摺接しながら移動するのである。
【０００４】
【発明が解決しようとする課題】
上記従来の構成は、コードがリール側の部分とケース側の部分とに分断されているため、どうしても両者の接続部で接触不良が起きやすく、通話ができなくなったり雑音が発生するトラブルを完全になくすことが困難であった。コードの巻き取り時や繰り出し時にリールが回転するたびに電気接点の摩耗が進行するので、コードの巻き取りや繰り出し回数が増えるほど上記トラブルが発生しやすくなる。また、リール側電気接点とコード側電気接点の摺接部で引っ掛かりが生じることにより、コードの巻き取り機能が損なわれることもあった。本発明は、これらのトラブルを解消することを課題としている。
【０００５】
【課題を解決するための手段】
上記課題を解決するために、本発明は次のように構成した。すなわち、本発明にかかる電気音響変換装置は、電気信号を音響に変換もしくは音響を電気信号に変換する電気音響変換部と、該電気音響変換部と電気信号の入出力先とを電気的に接続するコードとを備えた電気音響変換装置において、回転自在に支持され、前記コードを電気音響変換部側の端部が固定された状態で巻き取り可能なリールを設けると共に、該リールと一体回転するように前記電気音響変換部を設けたことを特徴としている。
【０００６】
この構成であると、電気音響変換部と電気信号の入出力先とを連続する１本のコードで接続することが可能となる。このため、電気接点の断絶や接触不良が生じない。
【０００７】
また、上記構成において、前記コード中に光ファイバを内装し、該光ファイバを介して光通信で伝達される情報を画像表示するモニタ部を設けた構成とすると、画像による情報の表示も可能となる。
【０００８】
【発明の実施の形態】
以下、図面に基づき、本発明を具体的に説明する。
図１は本発明の第一実施形態の外観斜視図である。この電気音響変換装置１は、携帯電話機のイヤホンマイクとして使用されるものであって、電気音響変換部であるスピーカとマイクを内蔵した本体ケース２からコード３が繰り出されるようになっており、そのコード３の先端部に携帯電話機のイヤホンジャックに接続する差し込みプラグ４が取り付けられている。本体ケース２にはループ状の耳掛け５が一体に設けられ、これを外耳に引っ掛けて本体ケース２を耳に装着するようになっている。
【０００９】
図２は本体ケースの内部構造を示す図である。本体ケース２の背面側内面から正面側に向けて筒状部２ａが形成されており、該筒状部の外周部にリール６が回転自在に嵌合している。このリール６には、コード繰り出し穴２ｂからケース内に差し込まれたコード３の差し込みプラグ４と反対側の端部が固定して取り付けられている。筒状部２ａとリール６との間には内端部が筒状部２ａに固定され外端部をリール６に固定されたゼンマイバネ７が介装されており、このゼンマイバネ７の収縮力でリール６をコード巻き取り方向に付勢している。なお、図示されてはいないが、リール６のコード巻き取り方向への回転をロックするロック機構と、該ロック機構の機能を解除する解除機構とが設けられている。
【００１０】
リール６の正面側の端面にはプリント基板８が一体回転するように設けられ、これの正面側にスピーカ９とマイク１０とが取り付けられていると共に、裏面側にマイクスイッチ１１が取り付けられている。本体ケース２の正面部には、スピーカ９、マイク１０の位置に対応してスピーカ穴２ｃ、マイク穴２ｄがそれぞれ形成されている。１２はスピーカ穴２ｃに取り付けた防護ネット１２である。また、本体ケース２の背面側にはマイクスイッチ１１のスイッチボタン１３が設けられ、これを押すことにより、筒状部２ａ内に挿通した操作ロッド１４を介してマイクスイッチ１１が操作されるようになっている。
【００１１】
図３は電気音響変換装置１の配線図である。コード３には５本の電線３ａ，…が内蔵されており、該コードのリール取付端部から取り出した各電線３ａ，…をプリント基板８の５つの端子８ａ，…にそれぞれ個別に接続している。そして、図示のように、各端子８ａ，…とスピーカ９、マイク１０、及びマイクスイッチ１１とを、リード線１５，…を介して電気的に接続している。これにより、電気音響変換部であるスピーカ９及びマイク１０と電気信号の入出力先である携帯電話機とが連続する１本のコード３で接続される。
【００１２】
この電気音響変換装置１は以上の構成であって、非使用時にはコード３をリール６に巻き取り収納しておくことにより、コード３が邪魔になることなく保管することができる。その状態からコード３を繰り出し方向に引っ張ると、リール６が回転してコード３がコード繰り出し穴２ｂから繰り出される。コード３を引っ張るのを止めると、ロック機構の働きでその時点の状態のままに維持される。また、ロック機構を解除すると、ゼンマイバネ７が収縮してリール６がコード巻き取り方向に回転し、コード３がリール６に巻き取られる。
【００１３】
次に、図４は本発明の第二実施形態の外観斜視図を表している。この電気音響変換装置２０は、電気音響変換部であるスピーカ及びマイクを内蔵した本体ケース２とは別に、該本体ケースを耳に装着したとき目の前に位置するように画像表示用のモニタ部２１が設けられている。
【００１４】
図５はこの電気音響変換装置２０の配線図である。コード３には、携帯電話機等とスピーカ９及びマイク１０との間で電気信号を伝達するための電線３ａ，…と、携帯電話機等からモニタ部２１へ光通信で情報を伝達するための光ファイバ３ｂとが内装されている。そして、各電線３ａ，…は、前記第一実施形態と同様に、スピーカ９、マイク１０、及びマイクスイッチ１１と電気的に接続されている。また、光ファイバ３ｂは、ゼンマイバネ７の中を通ってモニタ部２１に繋がっている。
【００１５】
これにより、スピーカ９及びマイク１０によって相手と通話を行うと同時に、携帯電話機のモニタ画面に表示される情報と同じ内容がモニタ部２１にも表示される。このため、携帯電話機を手に取らずに各種情報を知ることができ、便利である。
【００１６】
本発明の電気音響変換装置は、携帯電話機のイヤホンマイクに限らず、一般電話機、パソコン、音響機器等に接続して使用するイヤホンやイヤホンマイクにも適用できる。
【００１７】
【発明の効果】
以上説明した如く、本発明にかかる電気音響変換装置は、コードを巻き取るリールに電気音響変換部を一体回転するように取り付けることにより、電気音響変換部と電気信号の入出力先とを連続する１本のコードで接続することが可能となり、電気接点での断絶や接触不良の発生を防止できるようになった。
【００１８】
また、光通信で伝達される情報を画像表示するモニタ部と組み合わせて構成することも可能で、これにより広汎な技術分野で有効利用できるものとなった。
【図面の簡単な説明】
【図１】本発明の第一実施形態の外観斜視図である。
【図２】本発明の第一実施形態の断面図である。
【図３】本発明の第一実施形態の配線を示す図である。
【図４】本発明の第二実施形態の外観斜視図である。
【図５】本発明の第二実施形態の配線を示す図である。
【符号の説明】
１，２０  電気音響変換装置
２  本体ケース
３  コード
３ａ  電線
３ｂ  光ファイバ
６  リール
７  ゼンマイバネ
８  プリント基板
９  スピーカ（電気音響変換部）
１０  マイク（電気音響変換部）
１１  マイクスイッチ
２１  モニタ部
【図１】
0003635429.tif 000002
【図２】
0003635429.tif 000003
【図３】
0003635429.tif 000004
【図４】
0003635429.tif 000005
【図５】
0003635429.tif 000006